(57)【要約】  本発明は、タバコの箱、およびそのブランク、並びにこれらを接合した形態に関する。本発明によるタバコの箱は、直方柱に基づき、タバコを保管することが意図された保管空間と、箱の外側ケーシングの後壁（２）上に配置された屈曲接合部（４７）の上部カバーのヒンジ式蓋（１）とを含む。後壁（２）または内側前壁（３０）または（４６）との間で、上部カバー（１）から独立して、または独立せずにヒンジ付けされた下部フラップ（５）または（２５）または（３８）によって形成され、独立したアクセスを有する追加の保管空間が、箱の前部または後部に配置され、箱は、遮蔽保護パッケージの外側の外装を形成する追加の外側壁Ａ、Ｂ、Ｃ、Ｄ、Ｅ、Ｆ、Ｇ、Ｈ、Ｉ、Ｊ、Ｋ、Ｌを備える。箱は、箱の内側ブランクおよび外側ケーシングのブランクと、遮蔽保護パッケージの追加の外側の外装とからなり、これらの両ブランク、すなわち適切なパッケージの内側ブランクと、遮蔽保護パッケージの外側の外装ブランクとの接合形態によって、閉鎖位置で、保護壁のシステムによって全体が遮蔽される箱を獲得するのに有利な多くの箱の変形形態がもたらされ、この保護壁は、ユーザによって切り離しやすく、健康情報を備えたクーポンを形成し、無認可の人物には見えないように箱を遮蔽することを特徴とする。
2014503436.tif 000002
【特許請求の範囲】
【請求項１】
タバコを保管することが意図された保管空間と、上部カバーから独立して、および／または独立せずにヒンジ付けされた下後部フラップまたは下前部フラップとともに箱の前部または後部に配置された追加の保管部とを備え、壁２９、３０、３１、３２、３３、３４、３５、３６、３７、３８、３９、４０、４１、４２、４３、４４、４５、４６、５０、５３、５７、および１８、５６から得られる前部内側ブランクと、壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる外側ケーシングのブランクとからなるタバコの箱であって、前記箱の完全な外側の外装を形成する、遮蔽保護パッケージの追加の隣接する外側壁Ａ、Ｂ、Ｃ、Ｄ、Ｅ、Ｆ、Ｇ、Ｈ、Ｉ、Ｊ、Ｋ、Ｌを備えることを特徴とする、タバコの箱。
【請求項２】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁Ａ、Ｂ、Ｃ、Ｄ、Ｅ、Ｆ、Ｇ、Ｈ、Ｉ、Ｊ、Ｋ、Ｌが、前記箱の前記前部内側ブランクから直接全体が得られ、および／または前記箱の前記外側ケーシングのブランクから直接全体が得られ、および／または前記ブランクの両方から得られることを特徴とする、請求項１に記載のタバコの箱。
【請求項３】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁Ａ、Ｂ、Ｃ、Ｄ、Ｅ、Ｆ、Ｇ、Ｈ、Ｉ、Ｊ、Ｋ、Ｌが、前記箱の一体部分であり、前記箱の前記ブランクから直接得られ、および／または接着剤もしくは類似の剤によって連結され、および／または折り目および／もしくは切取り線によって連結され、したがって前記壁の全体を、および／または前記壁をそれぞれ別個に順次切り離すことが可能となることを特徴とする、請求項１または２に記載のタバコの箱。
【請求項４】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁Ａ、Ｂ、Ｃ、Ｄ、Ｅ、Ｆ、Ｇ、Ｈ、Ｉ、Ｊ、Ｋ、Ｌが、前記適切なパッケージと同じ材料で作製され、および／または類似の材料、および／またはより薄い材料、および／または透明材料、および／または半透明材料で作製されることを特徴とする、請求項１から３のいずれか一項に記載のタバコの箱。
【請求項５】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁ＨおよびＪが、前記適切なパッケージのブランクと前記外側遮蔽保護パッケージのブランクとの間の連結部であることを特徴とする、請求項１から４のいずれか一項に記載のタバコの箱。
【請求項６】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁ＫおよびＬが、前記壁Ｅ表面の完全な外装を形成し、前記遮蔽保護パッケージの前記外側壁ＧおよびＡが、前記壁Ｉ表面の完全な外装を形成することを特徴とする、請求項１から５のいずれか一項に記載のタバコの箱。
【請求項７】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記遮蔽保護パッケージの前記追加の隣接する外側壁Ｂ、Ｃ、Ｄ、Ｅ、Ｆ、Ｉが、前記箱が閉鎖され、完全に組み立てられた位置に配置されると、前記適切なパッケージの前記壁に平行であり、かつ前記壁と等しく、および／またはそれよりも大きく突出することを特徴とする、請求項１から６のいずれか一項に記載のタバコの箱。
【請求項８】
タバコを保管することが意図された前記保管空間と、前記上部カバーから独立して、および／または独立せずにヒンジ付けされた前記下後部フラップまたは前記下前部フラップとともに前記箱の前部または後部に配置された前記追加の保管部とを備え、前記壁２９、３０、３１、３２、３３、３４、３５、３６、３７、３８、３９、４０、４１、４２、４３、４４、４５、４６、５０、５３、５７、および１８、５６から得られる前記前部内側ブランクと、前記壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から得られる前記外側ケーシングのブランクとからなる前記タバコの箱であって、前記外側遮蔽保護パッケージの前記追加の外側壁Ａ、Ｂ、Ｃ、Ｄ、Ｅ、Ｆ、Ｇ、Ｈ、Ｉ、Ｊ、Ｋ、Ｌの１つ、および／または２つ、および／または３つ、および／または４つの共通の縁部が、内側の前記適切なパッケージの壁の、前記追加の外側壁が連結され、かつそこから直接得られる縁部と等しく、および／またはそれよりも大きいことを特徴とする、請求項１から７のいずれか一項に記載のタバコの箱。
【発明の詳細な説明】
【技術分野】
【０００１】
本発明は、箱の内側および／または外側ブランクから得られ、箱全体をカバーし、遮蔽する追加の外側遮蔽壁を有するタバコの箱、その構成システム、およびそのブランクに関する。
【背景技術】
【０００２】
米国特許第３，０１１，６３０号には、箱を開放したときにマッチが露出され、箱を閉鎖したときに、覆うカバーまたはフラップによってマッチが保護される、マッチと組み合わせたタバコの箱が開示されている。この発明の一実施形態では、箱の上部および箱の後部、底壁および側壁、並びに、マッチを保護するカバーが個々のカットアウトまたはブランクとして形成される。第２のブランクは、内側前壁板および内側側壁板を含む。第３のブランクは、外側前壁板および中間側壁板を含む。外側前壁板はマッチの束を保持して、外面に取り付けられたマッチの通常のユニットが形成されるようにする。第２と第３のブランクは接合され、第２のブランクは第３のブランクの上縁を超えて突き出る。こうした接合されたブランクはインサートを形成し、それによって主ブランクの開放前部を閉鎖する。マッチのユニットは、外側前壁に取り付けられ、マッチ用カバーによってカバーされる。
【０００３】
ポーランド特許出願第Ｐ３５５８３３号からタバコの箱およびそのブランクが知られている。この箱は、直方柱形状を有し、ヒンジ式蓋を有する。前記箱は、タバコを保管することが意図された保管部、および後壁上に配置された屈曲接合部によって保管部に接合されたヒンジ式蓋を含み、蓋の前壁は蓋の後壁よりも長く、蓋の側壁は斜傾している。箱は、保管部に追加の内側前壁が装備され、保管部の外側前壁がヒンジ式であり、ヒンジ式前壁と内側前壁の間に追加の保管空間があることを特徴とする。マッチはこの保管空間内に配置される。ヒンジ式外側前壁は、その縁部に沿って固定物質を有する。ヒンジ式内側前壁もやはり、その縁部に沿って固定物質を有する。ヒンジ式外側前壁の縁部は箱の蓋の縁部の下に配置される。内側側壁の縁部は内側前壁に取り付けられる。内側側壁の縁部およびコーナ壁は内側前壁に取り付けられる。マッチはヒンジ式前壁に取り付けられる。マッチは内側前壁に取り付けられる。
【０００４】
ポーランド特許出願第Ｐ３７０１５２号から、直方柱形状を有し、タバコを保管することが意図された保管部を含む、ヒンジ式蓋を有するタバコの箱が知られている。ヒンジ式蓋は、後壁上に配置された屈曲接合部によって保管部に接合され、蓋の前壁は蓋の後壁よりも長く、蓋の側壁は傾斜している。前記保管部に追加の内側前壁が装備され、保管部の外側前壁はヒンジ式であり、ヒンジ式前壁と内側前壁の間に好ましくはマッチ、ライター、または他の物体用の追加の保管空間が形成される。外側前壁の端部はテーパが付けられ、箱の内部に向かって曲げられる。この箱は、内側前壁が、上下に配置され箱の内側に向けられた２つのオーバープレス部を有し、そのうちの内側前壁の下部のオーバープレス部が保管部を形成し、前壁が箱を作製するのと同じ材料で作製され、または前壁が透明もしくは半透明の材料で作製され、あるいは前壁が外側に向けられ、追加の保管空間を形成するオーバープレス部（１７）を有することを特徴とする。
【０００５】
ポーランド特許出願第Ｐ３９２３０２号から、上部ヒンジ式蓋から独立してヒンジ付けされたフラップを有し、それによって上部ヒンジ式蓋とは別個の、独立して開放される追加の保管空間が設けられたタバコの箱が知られている。この出願には、箱の前部または後部に配置された、上部ヒンジ式蓋から独立して開放される追加の別個の保管空間を有するタバコの箱、およびそのブランクが開示されている。
【０００６】
この出願には、タバコの箱およびその変形形態が開示され、ヒンジ式蓋、すなわち上部カバー、内側前壁から得られる外側フランジを含み、直方柱に基づく形状を有し、タバコを保管することが意図された保管部、および箱の前部または後部に配置された追加の保管部を含む。
【０００７】
タバコの箱は後壁上に配置された屈曲接合部によって保管部に接合されたヒンジ式蓋を含み、蓋の前壁は蓋の後壁よりも長く、蓋の側壁は斜傾している。前記保管部に、箱の外側フランジを形成する接合された前壁を有する追加の内側ブランクが設けられ、外側前壁／保管部の前下部フラップが上部ヒンジ式蓋から独立してヒンジ付けされ、独立してヒンジ付けされた前壁／前下部フラップと内側前壁の間に、オーバープリントまたは物体を配置するのに有利な追加の保管空間があり、または、箱は、上部ヒンジ式蓋から独立して開放される下後部フラップとともに、箱の後部に形成された追加の保管空間を含む。前記独立してヒンジ付けされた下後部フラップは、箱の追加の下部前壁を有する箱の内側前部ブランクから得られ、この追加の下部前壁は細長く、後方に向けられる。したがって、追加の細長い下部前壁を有する内側前部ブランクは、箱の外側フランジを形成し、および／または箱の下部壁の下部外側ケーシングのブランクから得られ、裏返して後方に向けられ、および／または箱の下部の外側ケーシングの中部ブランクの二重部から得られ、後方に向けられる。
【０００８】
上部ヒンジ式蓋から独立して開放される、下方の前部または後部のフラップを有する箱は、内側前部ブランクおよびその下部の細長い壁がオーバープレス部を有さず、および／または１つまたは複数のオーバープレス部を有し、したがって、下部フラップをヒンジ付けせずに、または下部フラップをヒンジ付けした後に、下部フラップが箱の前部に配置されるか後部に配置されるかに関係なく、見える箱の外側フランジを形成し、かつ、箱の前部内側ブランクの内側前壁が底壁に直接取り付けられた追加の下部壁を有さない、および／または有することを特徴とする。
【０００９】
上部蓋から独立して開放される、下後部フラップを有する箱は、箱の中部後壁の外側ケーシングがオーバープレス部を有さず、および／または１つまたは複数のオーバープレス部を有し、したがって、箱の内側前部ブランクまたは外側ケーシングから直接得られる独立して開放される下後部フラップとともに追加の保管空間を形成することを特徴とする。有利には、箱の前部または後部上に配置された別個の保管部内に、オーバープリントまたは物体を配置することができ、この部分へのアクセスは上部蓋から独立して行われる。
【００１０】
箱は２つの部分、箱の外側ケーシングと箱の内側前部ブランクの接合構成によって形成される。
【００１１】
箱は、直方柱に基づく単純な設計、およびオーバープリントおよび情報のキャリアとしての追加の機能を有する上部ヒンジ式蓋から独立して開放される別個の追加の保管空間を含むことを特徴とする。
【００１２】
箱、および箱の変形形態により、ユーザは別個の独立した保管空間に自由にアクセスし、その内容物、および／または情報、たとえば、健康情報を使用してから、タバコがある保管空間への主上部蓋を開けることができるようになる。
【００１３】
最新式のものには、箱全体をさらに外側から全体的にカバーし、遮蔽する追加の外側壁を有するタバコの箱がなく、この追加の外側壁は、箱のブランクの変形形態から直接得られるものである。
【発明の概要】
【発明が解決しようとする課題】
【００１４】
したがって、本発明の目的は、全体が追加の外側遮蔽壁のシステムでカバーされたタバコの箱であって、そのすぐ内側部にタバコの内箱が含まれ、さらに外側から保護され、追加の外側壁を切り離すか、または取り外すまでは、見えないように遮蔽される、タバコの箱を得ることにある。
【課題を解決するための手段】
【００１５】
新規の箱、追加の外側壁のシステム、およびその変形形態により、製造業者は、適切なパッケージの画像を複雑に保護し、遮蔽することができるようになる。この新規の箱により、製造業者は、追加の外側壁を、切り離すことが可能なクーポンとして、および／または内側の広告キャリア、並びに内側および外側の健康情報として、タバコがある適切なパッケージの内容物をユーザが使用する前に利用することができるようになる。外側壁のシステムでカバーされた新規の箱により、製造業者はまた、ユーザが外側壁を切り離した後、適切なパッケージの従来の画像を維持することができるようになる。
【００１６】
新規の箱、追加の外側壁のシステム、およびその変形形態により、ユーザが適切なパッケージを使用する前に、そのパッケージの画像を複雑に保護し、遮蔽することができるようになる。外側遮蔽壁のシステムを切り離すと、新規の箱により、ユーザは広告クーポン、および健康情報クーポンを得ることができるようになり、その結果、タバコがある適切なパッケージの従来の画像を受け取ることができるようになる。
【００１７】
本発明の主題は、ヒンジ式蓋−上部カバー、下方の前部および／または後部のヒンジ式フラップ、内側前壁から得られる外側フランジを含むタバコの箱、およびその変形形態、およびそのブランクであり、前記箱は、直方柱に基づく形状を有し、タバコを保管することが意図された保管部と、下部ヒンジ式フラップによって形成され、箱の前部または後部に配置された追加の保管部と、箱の内側および／または外側ブランクから得られる追加の外側遮蔽壁−箱全体を外側からカバーするケーシングとを含み、また、その構成システム、およびそのブランクからなる。
【００１８】
タバコの箱は後壁上に配置された屈曲接合部によってタバコ用保管部に接合されたヒンジ式蓋を含み、また、タバコの箱は、上部ヒンジ式蓋から独立していない、または独立した追加の保管部を形成するように、箱の内側部、または箱の外側ケーシングから得られ、箱の前部および／または後部に配置される下部フラップを有し、また、箱の内側部、および／または箱の外側ケーシングから直接得られる追加の外側壁を含む。
【００１９】
箱は、追加の外側壁が、箱のケーシングの内側部および／または外側部から直接得られ、かつその縁部に接合され、適切なパッケージの直方柱に基づき、一体となって追加の外側パッケージを形成することを特徴とする。
【００２０】
箱は、内側部および／または箱のケーシングの外側部の縁部に接合された追加の外側壁を、個々に、または全体を順次切り離すことができ、この追加の外側壁の表面積の合計は、適切なパッケージの見える表面積の合計と等しく、またはそれよりも大きいことを特徴とする。箱の内側部、または箱の外側ケーシングに直接接合され、かつそこから得られる外側壁は、適切なパッケージと同じ材料で作製され、これらの外側壁は、１以上の折り目または切取り線の縁部で適切なパッケージに連結され、好ましくは取り外される、または切り離されることになる。追加の外側壁はまた、接着剤または他の剤によって固定することができ、適切なパッケージの構成材料よりも薄い、または類似の構成材料で作製することができる。
【００２１】
箱は、追加の外側壁の表面積の寸法と、箱の内側部および／または箱の外側ケーシングへと連結する構成システムとにより、適切なパッケージを保護し、遮蔽する完全な外側の追加の箱を形成することを特徴とする。
【００２２】
箱は、箱が閉鎖位置で完全に組み立てられると、外側パッケージの対応する側部の見える表面が、この外側パッケージの側部によって保護または遮蔽される内側パッケージの対応する側部の表面と等しく、またはそれよりも大きいことを特徴とする。
【００２３】
箱は、箱が閉鎖位置で完全に組み立てられると、内側の適切なパッケージの側部を、その側部が形成される１つの見える構成要素の壁の表面積、および／または２つの見える構成要素の壁の表面積の合計から構成することができること、および箱が閉鎖位置で完全に組み立てられると、追加の外側パッケージの対応する側部を、その側部が形成される１つの見える構成要素の壁の表面積、および／または見える２つの構成要素の壁の表面積の合計から構成することができることを特徴とする。
【００２４】
箱は、外側パッケージの追加の外側壁の共通の縁部が、内側の適切なパッケージの壁の、その外側壁が接合され、かつそこから直接得られる縁部と等しく、および／またはそれよりも大きいことを特徴とする。
【００２５】
箱は、２つの部分−適切なパッケージを構成する内側前部および外側ケーシング部と、追加の遮蔽保護パッケージを形成する追加の外側壁とからなり、この追加の外側壁は、適切なパッケージの内側前部、および／または適切なパッケージの外側ケーシングに接合され、箱が組み立てられたときのその構成は、直方柱に基づき、閉鎖位置に組み立てられた適切なパッケージを完全に遮蔽し、この追加の外側壁は、単純な構造、および使用法を有し、この外側壁により、使用される変形形態、および箱の部分間の構成に応じて、箱の片面および／または両面印刷を使用することができるようになることを特徴とする。
【００２６】
本発明の別の主題は、上部ヒンジ式蓋から独立して、または独立せずにヒンジ付けされた前方または後方の下部フラップを有するタバコの箱を獲得するためのブランク、およびその好ましい変形形態であり、ブランクは、タバコおよび／または追加の保管空間用の適切なパッケージと、この適切なパッケージを完全に保護し、遮蔽する追加の外側パッケージとを形成する。上記で得られる、タバコを収容するための適切なタバコの箱、並びにその箱と共通する外側保護遮蔽パッケージは、２つのブランクの連結体、およびそれらのブランク間の適切な構成から構成される。箱全体は、２つのブランク、すなわち適切なパッケージを形成する内側前壁、および／またはそこから直接得られ、箱の外側保護遮蔽外装を形成する追加の外側壁のブランクと、適切なパッケージの外側ケーシング、および／またはそこから直接得られ、箱の外側保護遮蔽外装を形成する追加の外側壁のブランクとの連結体によって形成される。
【００２７】
箱は、保護パッケージの外装の追加の外側壁をともに有し、および／またはそこに隣接する、長手方向に展開された適切なパッケージの外側ケーシングのブランク内に、適切なパッケージの壁と、このパッケージに接合される、外側保護パッケージの目に見える壁、すなわち下部壁、上部壁、側壁、側壁、主後壁および／または２つの壁の合計からなる壁、主前壁および／または２つの壁の合計からなる壁、並びに連結体としての補助壁とが配置されることを特徴とする。
【００２８】
保護パッケージの外装の追加の外側壁をともに有し、および／またはそこに隣接する、長手方向に展開された適切なパッケージの内側前壁のブランク内に、適切なパッケージの壁と、このパッケージに接合される、外側保護パッケージの壁、すなわち下部壁、上部壁、側壁、側壁、主後壁および／または２つの壁の合計からなる壁、主前壁および／または２つの壁の合計からなる壁、並びに連結体としての補助壁とが配置される。
【００２９】
箱は、外側保護遮蔽パッケージのブランクの壁は全て、内側壁の前部ブランク、および／または外側ケーシングのブランクに配置され、そこから得られ、および／または、これらの壁は全て、これらのブランクの両方に配置され、そこから得られ、箱がその閉鎖位置で組み立てられると、補助連結体を除くこれらの壁の見える表面によって、適切なパッケージの表面が完全に保護され、遮蔽されることを特徴とする。
【００３０】
さらに、一体型のブランクでも、別個のブランクでも、箱の前部内壁のブランク、および外側ケーシングのブランクはどちらも、外側保護遮蔽パッケージの隣接する追加の外側壁と共通の縁部を１つ、または２つ、または３つ、または４つ累積的に有し、これらの縁部は、折り目、切取り線、接着剤、またはそれらの縁部に沿って折り曲げ、および／もしくは切り離すことを可能とする類似の手段によって形成されることを特徴とする。
【００３１】
さらに、有利には、外側保護遮蔽パッケージのブランクは、それらの構成要素の壁間の連結部が、折り目、切取り線、接着剤、またはそれらの壁のそれぞれの縁部に沿って折り曲げ、および／もしくは切り離すことを可能とする類似の手段によって形成され、この連結部が接着剤、または折り曲げ、および／もしくは切り離すことを可能とする類似の手段によって作製される場合、構成要素の壁は、適切なパッケージが作製される材料と同じ材料、またはそれよりも薄い材料および／または類似の材料で作製されることを特徴とする。
【００３２】
本発明によるタバコの箱を添付の図面および例でより詳細に説明する。
【図面の簡単な説明】
【００３３】
箱の外側ケーシングから得られる前下部フラップが、独立せずに、または独立してヒンジ付けされ、かつ前方に向けられ、および／または遮蔽保護パッケージの隣接する追加の外側壁をともに有する箱の変形形態に関する図：
図１，１から１，５、図１，１２から１，１６、図１，２３から１，２７、図１，３４から１，３８、図１，４５から１，４９、図１，５７から１，６１、図１，６９から１，７３、図１，８０から１，８４は、箱の外側ケーシングから得られる前下部フラップが、独立してヒンジ付けされ、または閉鎖されており、かつ上部カバーが開放または閉鎖されている適切なパッケージを、遮蔽保護パッケージの隣接する追加の外側壁なしで示す側面図、および不等角投影図である。
図１，６、図１，７、図１，１７、図１，１８、図１，２８、図１，２９、図１，３９、図１，４０、図１，５０、図１，５１、図１，５２、図１，６２、図１，６３、図１，６４、図１，７４、図１，７５、図１，８５、図１，８６は、前部内側ブランクが、展開位置および折畳み位置にあり、および／または遮蔽保護パッケージの隣接する追加の外側壁をともに有する様々な変形形態を示す図である。
図１，８、図１，９、図１，１９、図１，２０、図１，３０、図１，３１、図１，４１、図１，４２、図１，５３、図１，５４、図１，６５、図１，６６、図１，７６、図１，７７、図１，８７、図１，８８は、下前部フラップが得られる外側ケーシングのブランクが、展開され、および／または遮蔽保護パッケージの隣接する追加の外側壁をともに有する様々な変形形態を示す図である。
図１，１０、図１，１１、図１，２１、図１，２２、図１，３２、図１，３３、図１，４３、図１，４４、図１，５５、図１，５６、図１，６７、図１，６８、図１，７８、図１，７９、図１，８９、図１，９０は、前下部フラップが、独立せずに、または独立してヒンジ付けされ、遮蔽保護パッケージの隣接する追加の外側壁をともに有する箱の様々な変形形態を示す不等角投影図、および側面図である。
箱の前部内側ブランクから得られる後下部フラップが、独立してヒンジ付けされ、かつ後方に向けられ、および／または遮蔽保護パッケージの隣接する追加の外側壁をともに有する箱の変形形態に関する図：
図２，１から２，５、図２，１０から２，１４、図２，１９から２，２３、図２，２８から２，３２、図２，３７から２，４１、図２，４６から２，５１、図２，５５から２，５９、図２，６４から２，６８、図２，７３から２，７７、図２，８２から２，８６、図２，９１から２，９５、図２，１００から２，１０４、図２，１０９から２，１１３、図２，１１８から２，１２２、図２，１２７から２，１３１、図２，１３６から２，１４０は、箱の前部内側ブランクから得られる後下部フラップが、独立してヒンジ付けされ、または閉鎖されており、かつ上部カバーが開放または閉鎖されている適切なパッケージを、遮蔽保護パッケージの隣接する追加の外側壁なしで示す側面図、および不等角投影図である。
図２，６、図２，７、図２，１５、図２，１６、図２，２４、図２，２５、図２，３３、図２，３４、図２，４２、図２，４３、図２，５１、図２，５２、図２，６０、図２，６１、図２，６９、図２，７０、図２，７８、図２，７９、図２，８７、図２，８８、図２，９６、図２，９７、図２，１０５、図２，１０６、図２，１１４、図２，１１５、図２，１２３、図２，１２４、図２，１３２、図２，１３３、図２，１４１、図２，１４２は、後下部フラップが得られる前部内側ブランクが、展開位置および折畳み位置にあり、および／または遮蔽保護パッケージの隣接する追加の外側壁をともに有する様々な変形形態を示す図である。
図２，８、図２，１７、図２，２６、図２，３５、図２，４４、図２，５３、図２，６２、図２，７１、図２，８０、図２，８９、図２，９８、図２，１０７、図２，１１６、図２，１２５、図２，１３４、図２，１４３は、短縮された外側ケーシングのブランクが、展開され、および／または遮蔽保護パッケージの隣接する追加の外側壁をともに有する様々な変形形態を示す図である。
図２，９、図２，１８、図２，２７、図２，３６、図２，４５、図２，５４、図２，６３、図２，７２、図２，８１、図２，９０、図２，９９、図２，１０８、図２，１１７、図２，１２６、図２，１３５、図２，１４４は、後下部フラップが、独立してヒンジ付けされ、遮蔽保護パッケージの隣接する追加の外側壁をともに有する箱の様々な変形形態を示す不等角投影図、および側面図である。
箱の外側ケーシングのブランクから得られる後下部フラップが、独立してヒンジ付けされ、かつ後方に向けられ、および／または遮蔽保護パッケージの隣接する追加の外側壁をともに有する箱の変形形態に関する図：
図３，１から３，９、図３，１５から３，２０、図３，２９から３，３５、図３，４３から３，４９、図３，５７から３，６３、図３，７０から３，７６、図３，８３から３，８９、図３，９６から３，１０２は、箱の外側ケーシングのブランクから得られる後下部フラップが、独立してヒンジ付けされ、または閉鎖されており、かつ上部カバーが開放または閉鎖されている適切なパッケージを、遮蔽保護パッケージの隣接する追加の外側壁なしで示す側面図、および不等角投影図である。
図３，８、図３，９、図３，１０、図３，２２、図３，２３、図３，２４、図３，３６、図３，３７、図３，３８、図３，５０、図３，５１、図３，５２、図３，６４、図３，６５、図３，７７、図３，７８、図３，９０、図３，９１、図３，１０３、図３，１０４は、前部内側ブランクが、展開位置および折畳み位置にあり、および／または遮蔽保護パッケージの隣接する追加の外側壁をともに有する様々な変形形態を示す図である。
図３，１１、図３，１２、図３，２５、図３，２６、図３，３９、図３，４０、図３，５３、図３，５４、図３，６６、図３，６７、図３，７９、図３，８０、図３，９２、図３，９３、図３，１０５、図３，１０６は、独立してヒンジ付けされた後下部フラップが得られる外側ケーシングのブランクが、展開され、および／または遮蔽保護パッケージの隣接する追加の外側壁をともに有する様々な変形形態を示す図である。
図３，１３、図３，１４、図３，２７、図３，２８、図３，４１、図３，４２、図３，５５、図３，５６、図３，６８、図３，６９、図３，８１、図３，８２、図３，９４、図３，９５、図３，１０７、図３，１０８は、後下部フラップが、独立してヒンジ付けされ、遮蔽保護パッケージの隣接する追加の外側壁をともに有する箱の様々な変形形態を示す不等角投影図、および側面図である。
箱の後部外側ケーシングのブランクの、中部が二重になされた後部から得られる後下部フラップが、独立してヒンジ付けされ、かつ後方に向けられ、および／または遮蔽保護パッケージの隣接する追加の外側壁をともに有する箱の変形形態に関する図：
図４，１から４，５、図４，９から４，１３、図４，１６から４，２０、図４，２３から４，２７、図４，３０から４，３４、図４，３７から４，４１、図３，４４から４，４８、図４，５１から４，５５は、箱の後部外側ケーシングのブランクの、中部が二重になされた後部から得られる後下部フラップが、独立してヒンジ付けされ、または閉鎖されており、かつ後方に向けられ、かつ上部カバーが開放または閉鎖されている適切なパッケージを、遮蔽保護パッケージの隣接する追加の外側壁なしで示す側面図および不等角投影図である。
図４，６は、前内側壁、すなわち内側ウィングが、展開位置にあるブランクを示す図である。
図４，７、図４，１４、図４，２１、図４，２８、図４，３５、図４，４２、図４，４９、図４，５６は、独立してヒンジ付けされた後下部フラップが得られる外側後部ケーシングのブランクが、展開され、遮蔽保護パッケージの隣接する追加の外側壁をともに有する様々な変形形態を示す図である。
図４，８、図４，１５、図４，２２、図４，２９、図４，３６、図４，４３、図４，５０、図４，５７は、後下部フラップが、独立してヒンジ付けされ、遮蔽保護パッケージの隣接する追加の外側壁をともに有する箱の様々な変形形態を示す不等角投影図、および側面図である。
【発明を実施するための形態】
【００３４】
図１，１から図４，５７で示したように、本発明によるタバコの箱は、ヒンジ式蓋−上部カバー、および／または箱の内側前部ブランクから得られる外側フランジを含み、直方柱に基づく形状を有し、外側ケーシングと、前部内側ブランクとから形成され、タバコを保管することが意図された保管部、および箱の前部または後部に配置された追加の保管部を、遮蔽保護パッケージの追加の隣接する外側壁とともに含む。
【００３５】
タバコの箱は、壁１〜５８からなる、タバコを収容するための適切なパッケージ、並びにヒンジ式下部フラップとともに箱の前部または後部に配置された追加の保管空間からなり、壁２９、３０、３１、３２、３３、３４、３５、３６、３７、３８、３９、４０、４１、４２、４３、４４、４５、４６、５０、５３、５７、および１８、５６が箱のフランジと一体となった前内側壁を形成し、壁１、２、３、４、５、６、７、８、９、１０、１１、１２、１３、１４、１５、１６、１７、１９、２０、２１、２２、２３、２４、２５、２６、２７、２８、４７、４８、４９、５１、５２、５４、５５、５８から箱の外側ケーシングが形成され、壁Ａ、Ｂ、Ｃ、Ｄ、Ｅ、Ｆ、Ｇ、Ｈ、Ｉ、Ｊ、Ｋ、Ｌから遮蔽保護パッケージの追加の隣接する外側壁が形成される。
【００３６】
壁Ａ、Ｂ、Ｃ、Ｄ、Ｅ、Ｆ、Ｇ、Ｈ、Ｉ、Ｊ、Ｋ、Ｌは、箱が定位置、すなわち組み立てられた閉鎖位置にあると、外側ケーシングから得られるか、それとも箱の内側前壁から得られるかに関わらず、独立に以下の配置を有する。
【００３７】
壁Ａは、箱の前部の、主前下部に位置する。
壁Ｂは、箱の上部カバー部全面に位置する。
壁Ｃは、箱の側部全面に位置する。
壁Ｄは、箱底部の下部全面に位置する。
壁Ｅは、箱の後主部全面に位置する。
壁Ｆは、箱の側部全面に位置する。
壁Ｇは、箱の前部の、主前上部に位置する。
壁Ｈは、連結部として箱の後部に位置する。
壁Ｉは、箱の前主部全面に位置する。
壁Ｊは、連結部として箱の前部および／または後部に位置する。
壁Ｋは、箱の前部の、主後上部に位置する。
壁Ｌは、箱の前部の、主後下部に位置する。
【００３８】
箱は、下前部フラップが箱の外側ケーシングから得られる箱の好ましい変形形態では、遮蔽保護パッケージの追加の隣接する外側壁は、全体が箱の前部内側ブランク、すなわち図１，５０、図１，５１、図１，６２、図１，６３のＢ、Ｃ、Ｄ、Ｅ、Ｆ、Ｉから得られ、および／または下前部フラップが箱の外側ケーシングから得られる箱の好ましい変形形態では、遮蔽保護パッケージの追加の隣接する外側壁は、全体が箱の外側ケーシングのブランク、すなわち図１，８、図１，９、図１，１９、図１，２０、図１，３０、図１，３１、図１，４１、図１，４２、図１，７６、図１，７７のＡ、Ｂ、Ｃ、Ｄ、Ｅ、Ｆ、Ｇ、Ｉ、Ｊから得られ、および／または下前部フラップが箱の外側ケーシングから得られる箱の好ましい変形形態では、遮蔽保護パッケージの追加の隣接する外側壁は、箱の前部内側ブランク、および箱の外側ケーシングのブランク、すなわち図１，８５、図１，８７、図１，８８のＢ、Ｃ、Ｄ、Ｅ、Ｆ、Ｇ、Ｉ、Ｊから得られることを特徴とする。
【００３９】
箱は、下後部フラップが箱の前部内側ブランクから得られる箱の好ましい変形形態では、遮蔽保護パッケージの追加の隣接する外側壁は、全体が箱の前部内側ブランク、すなわち図２，６、図２，１５、図２，２４、図２，３３、図２，４２、図２，５１、図２，６０、図２，６９のＢ、Ｃ、Ｄ、Ｅ、Ｆ、Ｉ、Ｋ、Ｌから得られ、および／または下後部フラップが箱の前部内側ブランクから得られる箱の好ましい変形形態では、遮蔽保護パッケージの追加の隣接する外側壁は、全体が箱の外側ケーシングのブランク、すなわち図２，９８、図２，１０７、図２，１１６、図２，１３４、図２，１４３のＢ、Ｃ、Ｄ、Ｅ、Ｆ、Ｉから得られ、および／または下後部フラップが箱の前部内側ブランクから得られる箱の好ましい変形形態では、遮蔽保護パッケージの追加の隣接する外側壁は、箱の前部内側ブランク、および箱の外側ケーシングのブランク、すなわち図２，７８、図２，８０、図２，８７、図２，８９、図２，１２３、図２，１２５のＢ、Ｃ、Ｄ、Ｅ、Ｆ、Ｈ、Ｉ、Ｋから得られることをさらに特徴とする。
【００４０】
箱は、下後部フラップが箱の外側ケーシングから得られる箱の好ましい変形形態では、遮蔽保護パッケージの追加の隣接する外側壁は、全体が箱の前部内側ブランク、すなわち図３，９、図３，２２、図３，２３、図３，５０、図３，５１のＢ、Ｃ、Ｄ、Ｅ、Ｆ、Ｉから得られ、および／または下後部フラップが箱の外側ケーシングから得られる箱の好ましい変形形態では、遮蔽保護パッケージの追加の隣接する外側壁は、全体が箱の外側ケーシングのブランク、すなわち図３，１１、図３，６６、図３，６７、図３，７９、図３，８０、図３，９２、図３，９３、図３，１０５、図３，１０６のＢ、Ｃ、Ｄ、Ｅ、Ｆ、Ｉ、Ｊ、Ｋ、Ｌから得られ、および／または下後部フラップが箱の外側ケーシングから得られる箱の好ましい変形形態では、遮蔽保護パッケージの追加の隣接する外側壁は、箱の前部内側ブランク、および箱の外側ケーシングのブランク、すなわち図３，３６、図３，３９、図３，３７、図３，４０のＢ、Ｃ、Ｄ、Ｅ、Ｆ、Ｉ、Ｊ、Ｋから得られることをさらに特徴とする。
【００４１】
箱は、下後部フラップが箱の外側ケーシングの、中部が二重になされた後壁から得られる箱の好ましい変形形態では、遮蔽保護パッケージの追加の隣接する外側壁は、全体が箱のこの外側ケーシングのブランク、すなわち図４，７、図４，１４、図４，２１、図４，２８、図４，３５、図４，４２、図４，４９、図４，５６のＡ、Ｂ、Ｃ、Ｄ、Ｅ、Ｆ、Ｇ、Ｉ、Ｋから得られることをさらに特徴とする。
【００４２】
パッケージに直接隣接し、かつこのパッケージから得られる追加の外側壁が箱の保護外装を形成するこの適切なパッケージは、これらの全体を、またはこれらの壁をそれぞれ別個に順次切り離すことができる外側のクーポンを形成し、かつその外装で適切なパッケージの表面を遮蔽し、保護し、それによって箱の従来の画像を、適切な法定の健康情報とともに維持し、かつ無認可の人物には見えないように遮蔽することができるので、ユーザおよび製造業者にとって有利である。
【００４３】
さらに、箱は、保護遮蔽パッケージの追加の外側遮蔽壁を取り外した後、製造業者、並びにユーザによって、前部フラップおよび／または後部フラップを箱の前部または後部に適切な形で任意に取り付けることができることを特徴とする。
2014503436.tif 000003
2014503436.tif 000004
2014503436.tif 000005
2014503436.tif 000006
2014503436.tif 000007
2014503436.tif 000008
2014503436.tif 000009
2014503436.tif 000010
2014503436.tif 000011
2014503436.tif 000012
2014503436.tif 000013
2014503436.tif 000014
2014503436.tif 000015
2014503436.tif 000016
2014503436.tif 000017
2014503436.tif 000018
2014503436.tif 000019
2014503436.tif 000020
2014503436.tif 000021
2014503436.tif 000022
2014503436.tif 000023
2014503436.tif 000024
2014503436.tif 000025
2014503436.tif 000026
2014503436.tif 000027
2014503436.tif 000028
2014503436.tif 000029
2014503436.tif 000030
2014503436.tif 000031
2014503436.tif 000032
2014503436.tif 000033
2014503436.tif 000034
2014503436.tif 000035
2014503436.tif 000036
2014503436.tif 000037
2014503436.tif 000038
2014503436.tif 000039
2014503436.tif 000040
2014503436.tif 000041
2014503436.tif 000042
【国際調査報告】
2014503436.tif 000043
2014503436.tif 000044